(57)【要約】【課題】プロジェクタ全体の嵩張りを減らしながら、ファンユニットを、傾けさせることなくスムーズに設置させることができるプロジェクタを提供する。【解決手段】シールド板３８は、その高さを半分切り欠くように、開口部３４Ａ側の端部３８Ａから適宜の長さに延びた切り欠き部３８Ｂを有し、シールド板３８に隣接する絶縁板３６は、このシールド板３８とほぼ同様、その高さを半分切り欠くように、開口部３４Ａ側の端部３６Ａから適宜の長さに延びた切り欠き部３６Ｂを有する。絶縁板３６は、シールド板３８の高さ領域から大きく食み出すことがなくなり、排気ユニット７０を絶縁板３６にぶつけることなくスムーズに設置させることができる。【選択図】図４
2008242121.tif 000002
【特許請求の範囲】
【請求項１】
電源ユニットと、前記電源ユニットに隣接するように設置されるファンユニットとを備
えたプロジェクタであって、
前記電源ユニットを囲うように設置されるシールド板と、前記電源ユニットと前記シー
ルド板との間に介在させるように設置される絶縁板とを備え、
前記ファンユニット側に配置される前記絶縁板の端縁が、隣接する前記シールド板の端
縁と沿う形状を有して形成されていることを特徴とするプロジェクタ。
【請求項２】
請求項１に記載のプロジェクタにおいて、
前記ファンユニット側に配置される前記シールド板には、一部切り欠かれた切り欠き部
が設けられ、
前記ファンユニット側に配置される前記絶縁板の端縁が、隣接する前記シールド板の前
記切り欠き部の端縁と沿う形状を有して形成されていることを特徴とするプロジェクタ。
【発明の詳細な説明】
【技術分野】
【０００１】
本発明は、プロジェクタに関する。
【背景技術】
【０００２】
従来から、光源から射出された光束をダイクロイックミラー等を用いた色分離光学系に
よって三原色の赤、緑、青の色光に分離するとともに、液晶パネル等を用いた３つの光変
調装置により色光毎に画像情報に応じて変調し、画像変調後の各色光をクロスダイクロイ
ックプリズムで合成し、投射レンズを介してカラー画像を拡大投射する、いわゆる三板式
のプロジェクタが知られている。
【０００３】
この種のプロジェクタにおいては、内蔵される各種の装置に電力を供給する電源ユニッ
トと、装置内部の空気を外に排気するファンユニットとを備えて構成される。また、この
電源ユニットおよびファンユニットは、全体的な嵩張りを減らすことを目的として、お互
いを隣接させるように設置する配置構成が採用されている（特許文献１参照）。
【０００４】
一方、電源ユニットは、電源ユニットから発せられる電磁波ノイズを除去することを目
的として、電源ユニット自身を囲うようにシールド板を設置している。また、電源ユニッ
トとシールド板とを電気的に絶縁させるために、絶縁板を、電源ユニットとシールド板と
の間に介在させるように配している。
【０００５】
【特許文献１】特開２００６−２４３３６１号公報
【発明の開示】
【発明が解決しようとする課題】
【０００６】
ところで、上述したプロジェクタにあっては、まず、電源ユニットを外装筐体に設置し
た後に、その電源ユニットの隣接する位置にファンユニットを設置する。ここで、絶縁板
が、シールド板の端縁から突出するように延在していると、設置しようとするファンユニ
ットが、絶縁板とぶつかってしまって、ファンユニットを設置し難くする不具合が生じて
いた。また、このような場合に、ファンユニットを無理に設置すると、絶縁板を挟み込ん
でしまい、挟み込まれた絶縁板がファンユニットを押し退けてしまって、ファンユニット
を傾けさせてしまう。ファンユニットは、傾いてしまうと正常に動作しなくなるといった
不具合も生じてしまう。
【０００７】
本発明は、このような事情に鑑みなされたものであって、その目的は、プロジェクタ全
体の嵩張りを減らしながら、傾いてしまうことによりファンユニットが正常に動作しなく
なるといった不具合を解消することができるプロジェクタを提供することにある。
【課題を解決するための手段】
【０００８】
上述した課題を解決するために、本発明は、以下の手段のプロジェクタを提供する。
すなわち、本発明に係るプロジェクタは、電源ユニットと、前記電源ユニットに隣接す
るように設置されるファンユニットとを備えたプロジェクタであって、前記電源ユニット
を囲うように設置されるシールド板と、前記電源ユニットと前記シールド板との間に介在
させるように設置される絶縁板とを備え、前記ファンユニット側に配置される前記絶縁板
の端縁が、隣接する前記シールド板の端縁と沿う形状を有して形成されていることを特徴
とする。
【０００９】
このプロジェクタによれば、ファンユニット側に配置される絶縁板の端縁が、隣接する
シールド板の端縁と沿う形状を有して形成されているので、このファンユニット側の絶縁
板は、シールド板と略同様の形状を有することとなる。これによって、絶縁板は、シール
ド板の形状領域からの食み出しを少なくした形状を有することとなる。なお、シールド板
の端縁と沿う形状とは、隣接するシールド板の端縁から大きく外れないように形成される
形状である。
【００１０】
これによって、ファンユニットを、電源ユニットの隣接位置に設置しようとした場合に
、ファンユニットは絶縁板にぶつかり難くなり、ファンユニットが絶縁板を挟み込んでし
まうことも無くなる。したがって、ファンユニットをスムーズに設置させることができ、
設置されたファンユニットは、絶縁板を挟み込んでしまうこともなく、傾いてしまうよう
な不具合も生じなくなる。
【００１１】
本発明に係るプロジェクタは、上述のプロジェクタにおいて、前記ファンユニット側に
配置される前記シールド板には、一部切り欠かれた切り欠き部が設けられ、前記ファンユ
ニット側に配置される前記絶縁板の端縁が、隣接する前記シールド板の前記切り欠き部の
端縁と沿う形状を有して形成されていることが好ましい。
【００１２】
本発明に係るプロジェクタによれば、シールド板が、設計上において好ましい切り欠き
形状を有して形成された場合であっても、そのシールド板に隣接する絶縁板も、その端縁
が隣接するシールド板の切り欠き形状の端縁と沿う形状を有して形成されるので、絶縁板
は、シールド板の形状領域からの食み出しを少なくした形状を有することとなる。
これによって、ファンユニットを、電源ユニットの隣接位置に設置しようとした場合に
、ファンユニットは絶縁板にぶつかり難くなり、ファンユニットが絶縁板を挟み込んでし
まうことも無くなる。
【発明を実施するための最良の形態】
【００１３】
以下、本発明に係るプロジェクタ１の実施の形態について、図面を参照しながら説明す
る。図１は、本発明に係るプロジェクタ１の内部を示す斜視図である。なお、この斜視図
においては、組み付けられる各ユニットおよび部品を見易いものにするため、制御装置と
アッパーケースを外した状態のプロジェクタ１の内部を示している。
【００１４】
すなわち、プロジェクタ１は、外装ケースとしてのロアーケース１０と、このロアーケ
ース１０に組み付けられる冷却装置２０と、内蔵される各装置に電力を供給する電源ユニ
ット３０と、光を射出する光源装置４０と、光源装置４０から射出された光束を光学的に
処理して画像情報に対応したカラー画像を形成する光学ユニット５０と、光学ユニット５
０からの画像光を投射する投射レンズ６０と、ロアーケース１０とアッパーケース（不図
示）より構成された筐体内部の空気を外部に排気するファンユニットとしての排気ユニッ
ト７０とを備えて、大略構成される。なお、図示していないが、このプロジェクタ１は、
これらの各装置に載置するように設置される制御装置とアッパーケースとを備える。
【００１５】
冷却装置２０は、プロジェクタ１内部を冷却する装置である。すなわち、冷却装置２０
は、図１に示すように、ロアーケース１０の底部に形成された吸気口（図示略）を介して
プロジェクタ１外部から冷却空気とされる外気を吸入し、この冷却空気をプロジェクタ１
内部の発熱する部材（例えば、後述する液晶パネル５５１等）に送風して冷却する。具体
的には、冷却装置２０は、一対のシロッコファン２１Ａ，２１Ｂと、一対のシロッコファ
ン２１Ａ，２１Ｂの吸入側に接続される吸入側ダクト２２と、一対のシロッコファン２１
Ａ，２１Ｂの吐出側に接続される吐出側ダクト２３とを備えて構成される。
【００１６】
この冷却装置２０は、シロッコファン２１Ａ，２１Ｂの駆動により、吸入側ダクト２２
を介してロアーケース１０の吸気口（不図示）から外部の冷却空気をプロジェクタ１内部
に導入し、各シロッコファン２１Ａ，２１Ｂの吐出側に接続された吐出側ダクト２３を介
して発熱する部材（例えば、後述する液晶パネル５５１等）に冷却空気を送って、この発
熱部材を冷却する。
【００１７】
電源ユニット３０は、プロジェクタ１を構成する各構成部材（光源ランプや制御基板等
）に電力を供給するものである。電源ユニット３０は、図３の斜視図に示すように、外部
から供給された電力を前記各構成部材に供給する電源ブロック３１と、電源ブロック３１
から供給された電力に基づいて光源ランプ４２を点灯させるランプ駆動ブロック３２とを
備えて構成される。
【００１８】
電源ブロック３１およびランプ駆動ブロック３２のそれぞれは、投射レンズ６０の軸線
方向と直交する方向に延びる直方体形状の箱状部材３３，３４に挿入されるようにしてユ
ニット化されている。
箱状部材３３，３４は、ＥＭＩ（Electro Magnetic Interference、電磁干渉）対策の
ために設けられるものであって、電源ブロック３１およびランプ駆動ブロック３２のそれ
ぞれを囲うように設けられた絶縁板３５，３６と、その絶縁板３５，３６の外側を囲うよ
うに設けられた金属製のシールド板３７，３８によって構成される。つまり、絶縁板３５
，３６は、電源ユニットとしての電源ブロック３１およびランプ駆動ブロック３２のそれ
ぞれと、これらに対応するシールド板３７，３８との間に介在させるように設置される。
なお、このように箱状部材３３，３４を構成することにより、絶縁板３５，３６とシー
ルド板３７，３８とは、互いに隣接する配置関係を有する。
【００１９】
この箱状部材３３，３４は、図１に示すように、冷却装置２０が隣接する側とは反対の
側（−Ｘ軸方向側）において、開口部３３Ａ，３４Ａが設けられている。開口部３３Ａ，
３４Ａは、電源ブロック３１およびランプ駆動ブロック３２により温められた空気を排気
する排気口として機能している。
【００２０】
図２は、画像を投射するにあたっての要部とされる、光源装置４０、光学ユニット５０
、投射レンズ６０の構成を模式的に示している。光源装置４０は、光束を射出するもので
あって、光源装置本体４１と平行化レンズ４４とを備えて構成される。また、光源装置本
体４１は、光源ランプ４２（図２参照）とリフレクタ４３とを備えて構成されている。ま
た、この光源装置４０は、ランプハウジング４５に組み付けてユニット化している。
【００２１】
光学ユニット５０は、制御装置による制御の下、光源装置４０から射出された光束を光
学的に処理して画像情報に対応したカラー画像を形成するユニットである。この光学ユニ
ット５０は、光束を液晶パネル５５１の画像形成領域に略均一に照明するための均一照明
光学装置５２と、均一照明光学装置５２から射出された複数の部分光束を、赤、緑、青の
３色の色光に分離する色分離光学装置５３と、色分離光学装置５３によって分離された色
光を光学装置５５に導くリレー光学装置５４と、その分離されて入射した光束を画像情報
に応じて変調して画像光（カラー画像）を形成する光学装置５５と、これら各種の装置を
収納する光学部品用筐体５１とを備えて構成される。
【００２２】
各光学装置を簡略的に説明すると、均一照明光学装置５２は、適宜のレンズアレイ５２
１と、偏光変換素子５２２と、重畳レンズ５２３とを備えて構成される。色分離光学装置
５３は、ダイクロイックミラー５３１，５３２と、反射ミラー５３３とを備えて構成され
る。リレー光学装置５４は、入射側レンズ５４１と、リレーレンズ５４２と、反射ミラー
５４３，５４４とを備えて構成される。光学装置５５は、光変調装置としての３枚の液晶
パネル５５１（５５１Ｒ，５５１Ｇ，５５１Ｂ）と、各液晶パネルの光束入射側および光
束射出側にそれぞれ配置される入射側偏光板５５２および射出側偏光板５５３と、色合成
光学装置としてのクロスダイクロイックプリズム５５４とを備えて構成される。なお、符
号５２５は、フィールドレンズである。
【００２３】
投射レンズ６０は、具体的な図示を省略するが、複数のレンズと、前記複数のレンズを
内部に収納する筒状の鏡筒とで構成され、光学ユニット５０により形成されたカラー画像
を拡大投射する。
【００２４】
排気ユニット７０は、プロジェクタ１内部に滞留する温められた空気を吸入し、外装筐
体とされるロアーケースおよびアッパーケース（不図示）に形成された排気口を介してプ
ロジェクタ１外部に排出する。排気ユニット７０は、図１に示すように、上述の電源ユニ
ット３０に隣接するように設置されるものであって、軸流ファン７１と、排気ダクト７２
とを備えて構成される。
【００２５】
軸流ファン７１は、図１に示すように、光源装置４０に対向して配設され、空気の吐出
方向が＋Ｚ軸方向に対して−Ｘ軸方向側に向くように傾斜配置されている。そして、軸流
ファン７１は、制御基板により駆動制御され、駆動することで、冷却装置２０により液晶
パネル５５１等に送風された後の空気や、光源装置４０近傍の空気を吸入して排気ダクト
７２に吐出するように構成されている。
排気ダクト７２は、軸流ファン７１の吐出口と接続され、軸流ファン７１から吐出され
た空気をロアーケース１０およびアッパーケースに形成された排気口（不図示）を介して
プロジェクタ１外部に排出する。
【００２６】
以上のように構成された軸流ファン７１と排気ダクト７２とは、組み付けられることに
より排気ユニット７０を構成し、この排気ユニット７０は、図３に示すように、電源ユニ
ット３０に隣接するように設置される。図３は、排気ユニット７０の設置を示す斜視図で
ある。
【００２７】
排気ユニット７０は、図３に示すように、電源ユニット３０と光源装置４０との間に設
けられた設置スペースＣに設置される。すなわち、排気ユニット７０は、軸流ファン７１
が光源装置４０と対向して配置するように、さらに排気ダクト７２が電源ユニット３０に
隣接するように、この設置スペースＣに設置される。
【００２８】
排気ユニット７０側（設置スペースＣ側）に配置される、シールド板３８および絶縁板
３６は、次のように構成される。図４は、設置スペースＣ側の電源ユニット３０の拡大斜
視図であって、箱状部材３４の開口部３４Ａ側を示している。
シールド板３８は、図４に示すように、その高さ方向の一部を半分切り欠くように、開
口部３４Ａ側の端部３８Ａから適宜の長さに延びた切り欠き部３８Ｂを有する。この切り
欠き部３８Ｂの高さは、端部３８Ａにむかって次第に低くなるように傾斜している。符号
３８Ｃが、シールド板３８の切り欠き部３８Ｂに沿った端縁を示している。
【００２９】
シールド板３８に隣接する絶縁板３６は、このシールド板３８の形状に合わせた形状で
形成されている。図４に示すように、排気ユニット７０側に配置される絶縁板３６は、開
口部３４Ａ側における個所において、絶縁板３６の端縁３６Ｃが隣接するシールド板３８
の切り欠き部３８Ｂの端縁３８Ｃと沿う形状である。つまり絶縁板３６は、隣接するシー
ルド板３８の形状と略同一の形状を有して形成されている。具体的には、図４に示すよう
に、絶縁板３６は、シールド板３８とほぼ同様、その高さを半分切り欠くように、開口部
３４Ａ側の端部３６Ａから適宜の長さに延びた切り欠き部３６Ｂを有して構成される。な
お、図示例の絶縁板３６は、その端縁３６Ｃが、シールド板３８の端縁３８Ｃから僅かに
延在するように形成されている。
【００３０】
以上のように構成されたプロジェクタは、次のような作用効果を奏する。
すなわち、このプロジェクタ１によれば、絶縁板３６には、シールド板３８に設けられ
た切り欠き部３８Ｂと、略同一の形状を有した切り欠き部３６Ｂが形成されており、排気
ユニット７０側に配置される絶縁板３６の端縁３６Ｃが、隣接するシールド板３８の端縁
３８Ｃと沿う形状を有している。これによって、排気ユニット７０側の絶縁板３６は、シ
ールド板３８からの食み出しが少なくなる。したがって、排気ユニット７０を電源ユニッ
ト３０の隣接位置に設置しようとした場合であっても、設置する排気ユニット７０を、絶
縁板３６にぶつけ難くし、排気ユニット７０による絶縁板３６の挟み込みを無くす。以上
により、設置した排気ユニット７０が絶縁板３６を挟み込んでしまうこともなく、排気ユ
ニット７０が傾いてしまうような不具合も生じなくなる。
【００３１】
なお、本発明に係るプロジェクタは、上述の実施の形態に限定されるものではなく、本
発明の趣旨を逸脱しない範囲において、適宜に選択変更して構成されるものであってもよ
い。
本発明に係るプロジェクタのシールド板および絶縁板は、図示例に限定されることなく
、適宜の形状が選択されて形成されるものであってよい。
【００３２】
また、上述の実施の形態では、液晶パネル５５１を３つ備えた、いわゆる三板式のプロ
ジェクタを例に挙げて説明するものであった。しかしながら、本発明に係るプロジェクタ
は、これに限定されるものではなく、液晶パネルを１つ備える単板式のプロジェクタで構
成しても構わない。また、液晶パネルを２つ備えるプロジェクタや、液晶パネルを４つ以
上備えるプロジェクタとして構成しても構わない。
【００３３】
また、上述の実施の形態では、光入射面と光射出面とが異なる透過型の液晶パネルを用
いていたが、光入射面と光射出面とが同一となる反射型の液晶パネルを用いてもよい。ま
た、上述の実施の形態では、光変調装置として液晶パネルを用いていたが、マイクロミラ
ーを用いたデバイスなど、液晶以外の光変調装置を用いてもよい。この場合は、光束入射
側および光束射出側の偏光板４５２，４５３を省略することができる。
【産業上の利用可能性】
【００３４】
本発明に係るプロジェクタは、電源ユニットに隣接するように不具合無くファンユニッ
トを配置させ、全体の嵩張りを減らすことができ、プレゼンテーションやホームシアタに
用いるプロジェクタとして利用することができる。
【図面の簡単な説明】
【００３５】
【図１】プロジェクタ内部の斜視図。
【図２】プロジェクタに内蔵される光学系の模式図。
【図３】排気ユニットの設置を示す斜視図。
【図４】排気ユニット側の電源ユニットの拡大斜視図。
【符号の説明】
【００３６】
１…プロジェクタ、１０…ロアーケース、２０…冷却装置、２１Ａ，２１Ｂ…シロッコ
ファン、２２…吸入側ダクト、２３…吐出側ダクト、３０…電源ユニット、３１…電源ブ
ロック、３２…ランプ駆動ブロック、３３Ａ，３４Ａ…開口部、３３，３４…箱状部材、
３５，３６…絶縁板、３６Ｂ…切り欠き部、３６Ｃ…絶縁板の端縁、３７，３８…シール
ド板、３８Ｂ…切り欠き部、３８Ｃ…シールド板の端縁、４０…光源装置、５０…光学ユ
ニット、５２…均一照明光学装置、５３…色分離光学装置、５４…リレー光学装置、５５
…光学装置、６０…投射レンズ、７０…排気ユニット、５５１…液晶パネル、５５２…入
射側偏光板、５５３…射出側偏光板、５５４…クロスダイクロイックプリズム、Ｃ…設置
スペース。
【図１】
2008242121.tif 000003
【図２】
2008242121.tif 000004
【図３】
2008242121.tif 000005
【図４】
2008242121.tif 000006